(57)【要約】【課題】  簡易な構成で部品点数及び組付工数を削減し、コスト低減を図りながら、待受けコネクタと相手側コネクタとの接続に際して、待受けコネクタと相手側コネクタとの位置誤差を、待受けコネクタの変位により吸収させる。【解決手段】  待受けコネクタ１０は、パネル部材１の取付孔２に組み付けられる際、各嵌合溝１４に取付孔２の縁部２ａをそれぞれ摺動可能に嵌合された状態で、各ＦＦＣ１２の撓み部分の頂部付近を、取付孔２の縁部２ａにそれぞれ係合されることにより、パネル部材１の取付孔２に対して、各ＦＦＣ１２の撓み方向に沿って変位可能に保持される。【選択図】      図１
2005317326.tif 000002
【特許請求の範囲】
【請求項１】
相手側コネクタを接続可能な待受けコネクタを、パネル部材に設けられた取付孔に組付・保持させる待受けコネクタの保持構造において、
前記待受けコネクタは、端子を接続された可撓性を有する一対の回路体を、それぞれ所要の撓みを持たせた状態で、ハウジングの両側面に取り付けられるとともに、前記ハウジングの両側面における前記各回路体近傍には、前記各回路体の撓み方向に沿って嵌合溝が形成されており、前記パネル部材の前記取付孔に組み付けられる際、前記嵌合溝に取付孔の縁部を摺動可能に嵌合された状態で、前記各回路体の撓み部分を前記取付孔の縁部にそれぞれ係合されることにより、前記パネル部材の前記取付孔に対して前記各回路体の撓み方向に沿って変位可能に保持されることを特徴とする待受けコネクタの保持構造。
【請求項２】
前記各回路体は、それぞれ相手側コネクタとの接続側の端部に複数の端子を接続され、前記各端子を前記待受けコネクタの前記ハウジングに嵌合されるとともに、前記ハウジングに嵌合される押さえ部材により、接続側の端部と反対側の所定位置を前記ハウジングに対して位置決めされ、所要の撓みを持たせられることを特徴とする請求項１記載の待受けコネクタの保持構造。
【請求項３】
前記各回路体及び前記押さえ部材には、前記ハウジングに対する前記各回路体の位置ズレを防止するための位置ズレ防止手段が設けられることを特徴とする請求項１又は２記載の待受けコネクタの保持構造。
【発明の詳細な説明】
【技術分野】
【０００１】
本発明は、相手側コネクタを接続可能な待受けコネクタを、パネル部材に設けられた取付孔に組付・保持させるための待受けコネクタの保持構造に関する。
【背景技術】
【０００２】
従来から待受けコネクタの保持構造に関しては、例えば、特許文献１のようなものが知られている。図６は、特許文献１で開示されている待受けコネクタの保持構造を示す分解斜視図であり、図７は、図６の待受けコネクタの保持構造の断面図である。
【０００３】
図６及び図７に示されるように、コネクタの保持構造では、プラスチックで方形枠状に形成された保持具２０に、集合コネクタ２１が嵌合されるとともに、保持具２０が、ボデー壁板３０の取付孔３１に嵌合されることにより、集合コネクタ２１が取付孔３１に仮保持される。集合コネクタ２１は、保持具２０によって取付孔３１に仮保持された状態で、保持具２０の上方から接続箱４０を嵌合され、調芯されつつ接続される。この状態で、集合コネクタ２１は、接続箱４０を貫通する結合ボルト４１をボルト孔２２に螺合されることにより、接続箱４０と接続・固定される。
【０００４】
保持具２０は、一体成形された可撓性を有する取付ロック板２２及び壁板受け片２３により、取付孔３１の縁部を図７中上下から弾性的に挟持することにより、取付孔３１に保持される。
【特許文献１】実開昭６４―４５４１８号公報（第５〜９頁、第７図及び第８図）
【発明の開示】
【発明が解決しようとする課題】
【０００５】
しかし上述した従来のコネクタの保持構造では、構造の複雑化、部品点数及び組付工数の増加を招き、コスト増大が避けられないという問題があった。
【０００６】
本発明は、上記事情に鑑みてなされたものであり、簡易な構成で部品点数及び組付工数を削減することができ、コスト低減を図ることができるものでありながら、待受けコネクタと相手側コネクタとの接続に際して、待受けコネクタと相手側コネクタとの位置誤差を、待受けコネクタの変位により吸収させることができる待受けコネクタの保持構造を提供することを目的とする。
【課題を解決するための手段】
【０００７】
１）本発明に係る待受けコネクタの保持構造は、相手側コネクタを接続可能な待受けコネクタを、パネル部材に設けられた取付孔に組付・保持させる待受けコネクタの保持構造において、待受けコネクタは、端子を接続された可撓性を有する一対の回路体をそれぞれ、所要の撓みを持たせた状態で、ハウジングの両側面に取り付けられるとともに、ハウジングの両側面における各回路体近傍には、嵌合溝を各回路体の撓み方向に沿って形成されており、パネル部材の取付孔に組み付けられる際、嵌合溝に取付孔の縁部を摺動可能に嵌合された状態で、各回路体の撓み部分を取付孔の縁部にそれぞれ係合されることにより、パネル部材の取付孔に対して、各回路体の撓み方向に沿って変位可能に保持されることを特徴とする。
【０００８】
前記待受けコネクタは、相手側コネクタとの接続に際して、嵌合溝内で取付孔の縁部を摺動されつつ、各回路体を撓ませられることにより、パネル部材の取付孔に対して、各回路体の撓み方向に沿って変位される。これにより、待受けコネクタと相手側コネクタとの位置誤差が吸収される。
【０００９】
前記構成の待受けコネクタの保持構造によれば、簡易な構成で部品点数及び組付工数を削減することができ、コスト低減を図ることができるものでありながら、待受けコネクタと相手側コネクタとの接続に際して、待受けコネクタと相手側コネクタとの位置誤差を、待受けコネクタの変位により吸収させることができる。これにより、待受けコネクタと相手側コネクタとの接続を、円滑かつ確実に行うことができる。
【００１０】
２）また、本発明に係る待受けコネクタの保持構造は、前記１）記載の待受けコネクタの保持構造であって、前記各回路体は、それぞれ相手側コネクタとの接続側の端部に複数の端子を接続され、各端子を待受けコネクタのハウジングに嵌合されるとともに、待受けコネクタのハウジングに嵌合される押さえ部材により、接続側の端部と反対側の所定位置を待受けコネクタのハウジングに対して位置決めされ、所要の撓みを持たせられることが好ましい。
【００１１】
前記構成の待受けコネクタの保持構造によれば、簡易な構成で部品点数及び組付工数を削減することができ、コスト低減を図ることができるものでありながら、待受けコネクタと相手側コネクタとの接続に際して、待受けコネクタと相手側コネクタとの位置誤差を、待受けコネクタの変位により吸収させることができる。これにより、待受けコネクタと相手側コネクタとの接続を、円滑かつ確実に行うことができる。
また、各回路体における接続側の端部と反対側が、待受けコネクタのハウジングに対して位置決めされる位置を、押さえ部材により容易に変更することができる。これにより、各回路体の撓み具合を、容易かつ的確に調整することができ、パネル部材に対する待受けコネクタの変位可能量を、容易かつ的確に調整することができる。
【００１２】
３）また、本発明に係る待受けコネクタの保持構造は、前記１）又は２）記載の待受けコネクタの保持構造であって、前記各回路体及び押さえ部材には、ハウジングに対する各回路体の位置ズレを防止するための位置ズレ防止手段が設けられることが好ましい。
【００１３】
前記構成の待受けコネクタの保持構造によれば、簡易な構成で部品点数及び組付工数を削減することができ、コスト低減を図ることができるものでありながら、待受けコネクタと相手側コネクタとの接続に際して、待受けコネクタと相手側コネクタとの位置誤差を、待受けコネクタの変位により吸収させることができる。これにより、待受けコネクタと相手側コネクタとの接続を、円滑かつ確実に行うことができる。
また、各回路体及び押さえ部材に設けられた位置ズレ防止手段により、ハウジングに対する各回路体の位置ズレを防止することができ、各回路体の撓み方向及び撓み量を適正に保つことができる。
【発明の効果】
【００１４】
本発明の待受けコネクタの保持構造によれば、待受けコネクタと相手側コネクタとの接続に際して、待受けコネクタと相手側コネクタとの位置誤差を、待受けコネクタの変位により吸収させることができ、簡易な構成で部品点数及び組付工数を削減することができ、コスト低減を図ることができる。
【発明を実施するための最良の形態】
【００１５】
以下、本発明の待受けコネクタの保持構造の一実施形態を図１〜図５に基づいて詳細に説明する。図１は、本発明の一実施形態である待受けコネクタの保持構造を示す断面図であり、図２は、図１の待受けコネクタの保持構造の斜視図、図３は、図１の待受けコネクタの保持構造の待受けコネクタ単体の斜視図、図４は、図３の待受けコネクタを相手側コネクタとの接続側からみた斜視図、図５は、図３の待受けコネクタの分解斜視図である。
【００１６】
図１〜図５に示すように本実施形態の待受けコネクタの保持構造は、待受けコネクタ１０が図示しない相手側コネクタを接続可能であり、パネル部材１に設けられた取付孔２に組付・保持される。すなわち、待受けコネクタ１０は、ピアッシング端子１１を貫通接続された可撓性を有する一対のフレキシブルフラット回路体１２（以下、ＦＦＣ１２という）をそれぞれ、所要の撓みを持たせた状態で、ハウジング１３の図１中上下両側面に取り付けられるとともに、ハウジング１３の上下両側面におけるＦＦＣ１２の図２中左右両側には、それぞれ嵌合溝１４を各ＦＦＣ１２の撓み方向（図１中、上下方向）に沿って形成されている。
【００１７】
待受けコネクタ１０は、パネル部材１の取付孔２に組み付けられる際、各嵌合溝１４に取付孔２の対向する図１中上下の縁部２ａをそれぞれ摺動可能に嵌合された状態で、各ＦＦＣ１２の撓み部分の頂部付近を取付孔２の縁部２ａにそれぞれ係合される。これにより、待受けコネクタ１０は、パネル部材１の取付孔２に対して、各ＦＦＣ１２の撓み方向に沿って変位可能に保持される。
【００１８】
ここで、各ＦＦＣ１２は、それぞれ絶縁性フィルム上１２ａに銅箔等の導電体１２ｂを設けられるとともに、当該導電体１２ｂ上に絶縁性のフィルム１２ａを貼り合わせたラミネート構造であり、可撓性を有する。
【００１９】
また、ピアッシング端子１１は、ＦＦＣ１２の絶縁性フィルム１２ａ内の導電体１２ｂの幅よりも幅狭に形成された基部１１ａと、相手側コネクタの端子を嵌合接続される嵌合部１１ｂとを備える。ピアッシング端子１１は、基部１１ａの一部を略直角に起こして複数の導体接続部１１ｃを形成されており、各導体接続部１１ｃをＦＦＣ１２に貫通された状態で加締められることにより、ＦＦＣ１２との間に電気的接続及び連結強度を得る。
【００２０】
各ＦＦＣ１２は、それぞれ相手側コネクタとの接続側（図１中、左側）の端部に、複数のピアッシング端子１１を接続されるとともに、各ピアッシング端子１１の嵌合部１１ｂを、待受けコネクタ１０のハウジング１３に複数形成された対応する端子用開口部１３ａに嵌合される。これにより、ＦＦＣ１２は、相手側コネクタとの接続側の端部（図１中、左端部）を待受けコネクタ１０のハウジング１３に固定される。
【００２１】
この状態で、ＦＦＣ１２は、所要の撓みを持たせられ、相手側コネクタとの接続側と反対側（図１中、右側）の所定位置を、待受けコネクタ１０のハウジング１３に嵌合される図１中上下一対の押さえ部材１５により押さえ付けられる。これにより、ＦＦＣ１２は、所要の撓みを持たせられた状態で、待受けコネクタ１０のハウジング１３に固定される。
【００２２】
更に、ＦＦＣ１２は、相手側コネクタとの接続側と反対側の端部（図１中、下端部）近傍を、パネル部材１に嵌合されたクリップ３により保持されることにより、パネル部材１に固定される。
【００２３】
各ＦＦＣ１２の撓み量は、それぞれ各ＦＦＣ１２にそれぞれ所要数（本実施形態では一対）設けられる位置決め孔１６の設置位置を変更することにより、調整可能である。
【００２４】
すなわち、各ＦＦＣ１２の位置決め孔１６には、それぞれ待受けコネクタ１０のハウジング蓋１７の外面にそれぞれ突設された位置決め突起１７ａが嵌挿・貫通され、位置決め孔１６を貫通された位置決め突起１７ａは、押さえ部材１５に形成された嵌合孔（図示しない）に嵌合され、押さえ部材１５は、ハウジング１３に嵌合される。これらにより、各ＦＦＣ１２は、それぞれ相手側コネクタとの接続側と反対側（図１中右側）の所定位置を、ハウジング１３に対して位置決めされるとともに、位置決め孔１６の設置位置を変更することにより、ハウジング１３に対して位置調整である。また、ハウジング１３に対する各ＦＦＣ１２の位置を調整することにより、各ＦＦＣ１２の撓み量を調整可能である。
【００２５】
なお、ハウジング蓋１７は、待受けコネクタ１０のハウジング１３の図１中上下両側面にそれぞれ嵌合されており、各ＦＦＣ１２に貫通されて加締められたピアッシング端子１１の各導体接続部１１ｃを被覆する。
また、各ＦＦＣ１２における押さえ部材１５との係合部分にはそれぞれ、押さえ部材１５を嵌合させるための屈曲形状部（図示しない）を設けてもよい。
【００２６】
本実施形態の作用を説明する。
上述した待受けコネクタ１０は、相手側コネクタとの接続に際して、嵌合溝１４内でパネル部材１の取付孔２の縁部２ａを摺動されつつ、各ＦＦＣ１２を撓ませられることにより、パネル部材１の取付孔２に対して、各ＦＦＣ１２の撓み方向に沿って変位される。これにより、待受けコネクタ１０と相手側コネクタとの位置誤差が吸収される。
【００２７】
以上のように上記実施形態によれば、待受けコネクタ１０は、パネル部材１の取付孔２に組み付けられる際、各嵌合溝１４に取付孔２の縁部２ａをそれぞれ摺動可能に嵌合された状態で、各ＦＦＣ１２の撓み部分の頂部付近を、取付孔２の縁部２ａにそれぞれ係合されることにより、パネル部材１の取付孔２に対して、各ＦＦＣ１２の撓み方向に沿って変位可能に保持される。
【００２８】
したがって、簡易な構成で部品点数及び組付工数を削減することができ、コスト低減を図ることができるものでありながら、待受けコネクタ１０と相手側コネクタとの接続に際して、待受けコネクタ１０と相手側コネクタとの位置誤差を、各ＦＦＣ１２の撓み方向（図１中、上下方向）に沿う待受けコネクタ１０の変位により吸収させることができる。これにより、待受けコネクタ１０と相手側コネクタとの接続を、円滑かつ確実に行うことができる。
【００２９】
また、各ＦＦＣ１２における接続側の端部と反対側（図１中、右側）が、待受けコネクタ１０のハウジング１３に対して位置決めされる位置を、各ＦＦＣ１２の位置決め孔１６の設置位置変更により、容易に変更することができる。これにより、各ＦＦＣ１２の撓み具合を、容易かつ的確に調整することができ、パネル部材１に対する待受けコネクタ１０の変位可能量を、容易かつ的確に調整することができる。
【００３０】
更に、各ＦＦＣ１２の位置決め孔１６及び押さえ部材１５の嵌合孔に、ハウジング蓋１７の位置決め突起１７ａを嵌合されることにより、ハウジング１３に対する各ＦＦＣ１２の位置ズレを防止することができ、各ＦＦＣ１２の撓み方向及び撓み量を適正に保つことができる。
【００３１】
なお、本発明に係る待受けコネクタの保持構造は、例えば、自動車の室内側ワイヤーハーネスとエンジンルーム側ワイヤーハーネスとの接続に用いられる待受けコネクタを、フロントバルクヘッドに設けられた取付孔に保持させる構造として好適に用いられるものである。
【図面の簡単な説明】
【００３２】
【図１】本発明の一実施形態である待受けコネクタの保持構造を示す断面図である。
【図２】図１の待受けコネクタの保持構造の斜視図である。
【図３】図１の待受けコネクタの保持構造の待受けコネクタ単体の斜視図である。
【図４】図３の待受けコネクタを相手側コネクタとの接続側からみた斜視図である。
【図５】図３の待受けコネクタの分解斜視図である。
【図６】特許文献１で開示されているコネクタの保持構造を示す分解斜視図である。
【図７】特許文献１で開示されている待受けコネクタの保持構造を示す断面図である。
【符号の説明】
【００３３】
１  パネル部材
２  取付孔
２ａ  縁部
１０  待受けコネクタ
１１  ピアッシング端子
１１ａ  基部
１１ｂ  嵌合部
１１ｃ  導体接続部
１２  回路体（フレキシブルフラット回路体（ＦＦＣ））
１２ａ  絶縁性フィルム
１２ｂ  導電体
１３  ハウジング
１４  嵌合溝
１５  押さえ部材
１６  位置決め孔
１７  ハウジング蓋
１７ａ  位置決め突起
【図１】
2005317326.tif 000003
【図２】
2005317326.tif 000004
【図３】
2005317326.tif 000005
【図４】
2005317326.tif 000006
【図５】
2005317326.tif 000007
【図６】
2005317326.tif 000008
【図７】
2005317326.tif 000009